(57)【要約】【課題】空気調和機のフィルタ取り付け枠への結露を防ぎながら、水受けとの距離を縮めて本体の省スペース化を図ることが出来る空気調和機を提供する。【解決手段】室内熱交換器（図示せず）と、室内送風機（図示せず）と、室内熱交換器の上流側に配されたフィルタ（図示せず）と、フィルタを取り付けたフィルタ取り付け枠３と、室内熱交換器の下方に設けられ室内熱交換器１から落下する凝縮水を受ける水受け４とを備え、フィルタ取り付け枠３の下部で、水受け４と対向する面にアルミニウム粘着テープ７を設けたもので、アルミニウム粘着テープ７により、水受け４からフィルタ取り付け枠３への輻射による熱影響を低減できるので、その分、水受け４とフィルタ取り付け枠３との距離を縮めて、本体（図示せず）の省スペース化を図ることが出来る。【選択図】図２
2009109049.tif 000002
【特許請求の範囲】
【請求項１】
室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記フィルタ取り付け枠の下部で、前記水受けと対向する面に輻射防止部材を設けたことを特徴とする空気調和機。
【請求項２】
室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記水受けの前記フィルタ取り付け枠と対向する面に輻射防止部材を設けたことを特徴とする空気調和機。
【請求項３】
輻射防止部材としてアルミニウム製粘着テープを用いることを特徴とする請求項１又は２に記載の空気調和機。
【請求項４】
輻射防止部材として、コーティングされた金属製薄膜を用いることを特徴とする請求項１又は２に記載の空気調和機。
【請求項５】
輻射防止部材として、淡色樹脂フィルムを用いることを特徴とする請求項１又は２に記載の空気調和機。
【発明の詳細な説明】
【技術分野】
【０００１】
本発明は、空気調和機に関するもので、特に、空気調和機の水受けとフィルタ取り付け枠間の断熱に関するものである。
【背景技術】
【０００２】
従来の空気調和機は、室内熱交換器からの凝縮水を受ける水受けと、フィルタを取り付けるフィルタ取り付け枠とを備え、その水受けとフィルタ取り付け枠との間に隙間を設けることで、フィルタ取り付け枠に結露しないような構造としている。近年、さまざまな要素部品を搭載しながら省スペース化を図るため、この距離を縮めることが求められ、さらに、フィルタ取り付け枠の一部を中空構造とし、その中に、電気部品に電力を供給するリード線等を通すようにしている（例えば、特許文献１参照）。
【特許文献１】特開２００５−２４９３２６号公報
【発明の開示】
【発明が解決しようとする課題】
【０００３】
しかしながら、上記従来の空気調和機の構造では、フィルタ取り付け枠の水受けに面する部分の樹脂肉厚が従来よりも薄くなってしまうために、水受けからの熱輻射影響を受けやすくなりリード線を通す中空部分に結露が生じるという問題があり、これを解決するために、水受けとフィルタ枠の距離を輻射の影響がない程度まで離さなければならず、それにより、本体の厚みが増し、大型化するという課題があった。
【０００４】
本発明は、前記従来の課題を解決するもので、輻射の影響を低減しながら、水受けとフィルタ枠の距離を縮める、本体の省スペース化が可能な空気調和機を提供することを目的とする。
【課題を解決するための手段】
【０００５】
前記従来の課題を解決するために、本発明の空気調和機は、室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記フィルタ取り付け枠の下部で、前記水受けと対向する面に輻射防止部材を設けたもので、輻射防止部材により、水受けからフィルタ取り付け枠への輻射による熱影響を低減できるので、その分、水受けとフィルタ取り付け枠との距離を縮めて、本体の省スペース化を図ることが出来る。
【０００６】
また、本発明の空気調和機は、室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記水受けの前記フィルタ取り付け枠と対向する面に輻射防止部材を設けたもので、輻射防止部材により、水受けからフィルタ取り付け枠への輻射による熱影響を低減できるので、その分、水受けとフィルタ取り付け枠との距離を縮めて、本体の省スペース化を図ることが出来る。
【発明の効果】
【０００７】
本発明の空気調和機は、輻射伝熱の影響を、水受けとフィルタ取り付け枠との距離を離すことなく防ぐことができ、本体の省スペース化を可能にする。
【発明を実施するための最良の形態】
【０００８】
第１の発明は、室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記フィルタ取り付け枠の下部で、前記水受けと対向する面に輻射防止部材を設けたもので、輻射防止部材により、水受けからフィルタ取り付け枠への輻射による熱影響を低減できるので、その分、水受けとフィルタ取り付け枠との距離を縮めて、本体の省スペース化を図ることが出来る。
【０００９】
第２の発明は、室内熱交換器と、室内送風機と、前記室内熱交換器の上流側に配されたフィルタと、前記フィルタを取り付けたフィルタ取り付け枠と、前記室内熱交換器の下方に設けられ前記室内熱交換器から落下する凝縮水を受ける水受けとを備え、前記水受けの前記フィルタ取り付け枠と対向する面に輻射防止部材を設けたもので、輻射防止部材により、水受けからフィルタ取り付け枠への輻射による熱影響を低減できるので、その分、水受けとフィルタ取り付け枠との距離を縮めて、本体の省スペース化を図ることが出来る。
【００１０】
第３の発明は、特に、第１又は第２の発明の輻射防止部材としてアルミニウム製粘着テープを用いるもので、アルミニウム製粘着テープは汎用性に優れているので、安価な構成で断熱効果を得ることができる。
【００１１】
第４の発明は、特に、第１又は第２の発明の輻射防止部材として、コーティングされた金属製薄膜を用いるもので、さまざまな形状の面に容易に加工が出来、作業性が良化しつつ同等の断熱効果を得ることができる。
【００１２】
第５の発明は、特に、第１又は第２の発明の輻射防止部材として、淡色樹脂フィルムを用いるもので、安価な構成で断熱効果を得ることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の断面図、図２は、同空気調和機のフィルタ取り付け枠と水受け部分の拡大断面図である。
【００１５】
図１、２において、本実施の形態における空気調和機の本体１０は、室内熱交換器１と、室内送風機２と、室内熱交換器１の上流側に配されたフィルタ（図示せず）と、前記フィルタを取り付けるフィルタ取り付け枠３と、室内熱交換器１の下方に配され室内熱交換器１から落下する凝縮水を受ける水受け４と、室内熱交換器１で熱交換された空気を吹き出す吹き出し口５とを有し、フィルタ取り付け枠３と水受け４は向かい合って配置されると共に、フィルタ取り付け枠３の下部は中空構造６となっており、その中に、図示しない電気部品に電力を供給するためのリード線（図示せず）を通す構造となっている。
【００１６】
通常は、フィルタ取り付け枠３と水受け４は適当な距離を保つことで、水受け４からの熱の影響を避けフィルタ取り付け枠３が結露するのを防いでいる。しかし、本体１０の省スペース化のため、この距離を縮めると、空気断熱により熱伝導の影響は受けないものの、熱輻射の影響を受けるようになり、フィルタ取り付け枠３の中空構造６の内部に結露してしまう。
【００１７】
そこで、本実施の形態では、フィルタ取り付け枠３の水受け４と対向する面に、輻射防止部材としてアルミニウム粘着テープ７を貼り付けたもので、それにより、輻射の影響を防ぐことができ、従来と比較しフィルタ取り付け枠３と水受け４の距離を縮めることが出
来、その結果本体１０の省スペース化が可能となる。
【００１８】
上記実施の形態では、フィルタ取り付け枠３の水受け４と対向する面に輻射防止部材としてアルミニウム粘着テープ７を用いたが、その代わりに、同部分に金属薄膜をコーティングするようにすれば、どのような形状の面にも容易に金属層を形成することが出来、作業性を向上させることも可能となる。
【００１９】
或いは、アルミニウム粘着テープ７の代わりに、淡色樹脂フィルムを貼り付けるようにすれば、アルミニウム粘着テープ７と比較して輻射を防ぐ効果は薄いものの、安価な材料で断熱効果を得ることができる。
【００２０】
（実施の形態２）
図３は、本発明の第２の実施の形態における空気調和機のフィルタ取り付け枠と水受け部分の拡大断面図である。
【００２１】
図３において、フィルタ取り付け枠３と水受け４は向かい合って配置され、フィルタ取り付け枠３の下部は、中空構造６となっており、そのなかに、図示しない電気部品に電力を供給するためのリード線（図示せず）を通す構造となっている。通常は、フィルタ取り付け枠３と水受け４は適当な距離を保つことで、水受け４からの熱の影響を避けフィルタ取り付け枠３が結露するのを防いでいる。
【００２２】
しかし、本体１０の省スペース化のため、この距離を縮めると、空気断熱により熱伝導の影響は受けないものの、熱輻射の影響を受けるようになり、フィルタ取り付け枠３の中空構造６の内部に結露してしまう。そこで、本実施の形態では、水受け４のフィルタ取り付け枠３と対向する面に、輻射防止部材としてアルミニウム粘着テープ８を貼り付けるようにしたもので、これにより、輻射の影響を防ぐことができ、従来と比較し、フィルタ取り付け枠３と水受け４の距離を縮めることが出来、本体１０の省スペース化が可能となる。
【００２３】
なお、アルミニウム粘着テープ８の代わりに、この部分に金属薄膜をコーティングするようにすれば、どのような形状の面にも容易に金属層を形成することが出来、作業性を向上させることが可能となる。
【００２４】
また、アルミニウム粘着テープ８の代わりに、淡色樹脂フィルムを貼り付けるようにすれば、アルミニウム粘着テープ８と比較して輻射を防ぐ効果は薄いものの、安価な材料で断熱効果を得ることができる。
【産業上の利用可能性】
【００２５】
以上のように、本発明にかかる空気調和機は、フィルタ取り付け枠と水受けの間の距離を縮めて配置することが出来るので、空気調和機に限らず、２つの温度の異なるものを配置する際の断熱に利用可能である。
【図面の簡単な説明】
【００２６】
【図１】本発明の実施の形態１における空気調和機の断面図
【図２】同空気調和機のフィルタ取り付け枠と水受け部分の拡大断面図
【図３】本発明の実施の形態２におけるフィルタ取り付け枠と水受け部分の拡大断面図
【符号の説明】
【００２７】
１  室内熱交換器
２  室内送風機
３  フィルタ取り付け枠
４  水受け
５  吹き出し口
６  中空構造
７、８  アルミニウム粘着テープ（輻射防止部材）
１０  本体
【図１】
2009109049.tif 000003
【図２】
2009109049.tif 000004
【図３】
2009109049.tif 000005